(57)【特許請求の範囲】
【請求項１】
左右一対の側板間に棚板を架設支持する家具用棚板支持構造であって、
前記棚板を複数枚の左右方向に並列された棚板片から構成し、
前記棚板の下面中間部を支持する第１支持手段と前記棚板の後端部を支持する第２支持手段を設け、かつ前記各棚板片を両支持手段に着脱可能に組み付けたことを特徴とする家具用棚板支持構造。
【請求項２】
前記第１支持手段を前記側板間に架設した第１横木で構成し、前記棚板の下面に該第１横木が上下方向に着脱可能に係合する第１横溝を形成したことを特徴とする請求項１記載の家具用棚板支持構造。
【請求項３】
前記第２支持手段を前記側板間に架設した第２横木で構成し、前記棚板の後端面に該第２横木が前後方向へ着脱可能に係合する第２横溝を形成したことを特徴とする請求項１に記載の家具用棚板支持構造。
【請求項４】
前記第２支持手段を背板に形成した左右方向に伸びる嵌合溝で構成し、前記棚板の後端部を該嵌合溝に前後方向へ着脱可能に嵌合したことを特徴とする請求項１に記載の家具用棚板支持構造。
【発明の詳細な説明】
【技術分野】
【０００１】
本発明は、家具の棚板支持構造に関する。
【背景技術】
【０００２】
一般に、玄関収納や本棚等の家具では互いに対向する側板にダボ穴を形成し、このダボ穴にダボを取り付け、ダボで棚板の左右両端部を支持する構造が採用されている。そして、上下の棚板の間隔は棚板に載置される物品、例えば玄関収納では靴の高さに、本棚では本の高さに合わせて設定される。
【特許文献１】引用なし
【発明の開示】
【発明が解決しようとする課題】
【０００３】
ところで、上記した従来の家具の棚板支持構造では、例えば玄関収納に平靴とロングブーツを収納したり、本箱にポケット版の本と大百科事典を収納するときのように、高さの大きく異なる物品を収納する場合、高い物品が収納できるように上段の棚板を取り外している。その結果、低い物品の上に生じるスペースが無駄になる。
【０００４】
本発明は上記の問題に鑑み、同じ棚に高さの大きく異なる物品を戴置でき、収納スペースを有効活用できる家具の棚板支持構造を提供することを目的とする。
【課題を解決するための手段】
【０００５】
請求項１に記載の発明は、左右一対の側板間に棚板を架設支持する家具用棚板支持構造であって、前記棚板を複数枚の左右方向に並列された棚板片から構成し、前記棚板の下面中間部を支持する第１支持手段と前記棚板の後端部を支持する第２支持手段を設け、かつ前記各棚板片を両支持手段に着脱可能に組み付けたことを特徴とする。
そして、好ましくは前記第１支持手段を前記側板間に架設した第１横木で構成し、前記棚板の下面に該第１横木が上下方向に着脱可能に係合する第１横溝を形成する。
また、好ましくは前記第２支持手段を前記側板間に架設した第２横木で構成し、前記棚板の後端面に該第２横木が前後方向へ着脱可能に係合する第２横溝を形成する。
さらに、好ましくは前記第２支持手段を背板に形成した左右方向に伸びる嵌合溝で構成し、前記棚板の後端部を該嵌合溝に前後方向へ着脱可能に嵌合する。
【発明の効果】
【０００６】
本発明によれば、棚板を複数枚の棚板片で構成し、棚板の下面中間部と後端部をそれぞれ第１支持手段と第２支持手段で着脱可能に支持したので、一枚又は数枚の棚板片を取り外すことにより上段の棚板で制限されていた収納スペースを拡げることができる。しかも、第１支持手段は棚板の中間部を支持する位置に配置したので、第１支持手段の前方のスペースを収納スペースとして有効活用できる。このため、例えば平靴とロングブーツのように高さの異なる品物を混在させて収納する場合、上の棚板を構成する棚板片の一枚又は数枚を外してロングブーツ用の収納スペースを確保できるので、ロングブーツの上部を折り曲げたり、またロングブーツの高さに合わせて棚板の上下の間隔を調整する必要がなく、平靴とロングブーツを同じ棚板に載置でき、使い勝手が向上する。
【発明を実施するための最良の形態】
【０００７】
左右一対の側板間に棚板を架設支持する家具用棚板支持構造であって、棚板を複数枚の左右方向に並列された棚板片から構成し、棚板の下面中間部を支持する第１横木と棚板の後端部を支持する第２横木を側板間に架設し、かつ各棚板片の下面中間部に第１横木が着脱可能に係合する第１横溝を形成し、棚板片の後端部に第２横木が着脱可能に係合する第２横溝を形成し、両横木で棚板を側板間に架設支持する。
【実施例１】
【０００８】
本発明の第１実施例に係る玄関収納の棚板支持構造１０を図１に示す。当該棚板支持構造１０は、左右一対の側板、一枚の背板１２、上下３段の棚板１３、及び各段の棚板１３を支持する第１横木１４と第２横木１５を備えている。
【０００９】
各段の棚板１３は３枚の棚板片１６を左右に並列して一枚の棚板１３に構成されている。そして、図２に示すように各棚板片１６の中間部、より正確には棚板片１６の奥行き幅の中心より奥側に一本の断面半円形の第１横溝１７が形成されている。また、各棚板片の後端面には断面半円形の第２横溝１８が形成されている。これら第１横溝１７と第２横溝１８は各棚板片１６を並べて一枚の棚板１３に成形したときそれぞれが一直線に整列するように配置されている。
【００１０】
第１及び第２の両横木１４，１５は断面円形を有し、左右の側板１１間に架設されている。各段の棚板１３は第１横溝１７を第１横木１４に係合し、第２横溝１８を第２横木１５に係合させることにより、両横木１７，１８によって左右の側板１１間に架設支持されている。そして、上下の棚板１３の間隔は平靴の高さに合わせて設定されている。
【００１１】
玄関収納の棚板支持構造１０は以上の通りであって、通常、各段の棚板１３は３枚の棚板片１６を第１及び第２横木１４，１５に架設して構成し、各棚板１３に平靴を載置する。必要に応じて、例えばショートブーツを何足も収納するような場合には中段の棚板片１３をすべて両横木から取り外して棚板１３を無くす。さらに、ロングブーツ２０を一足収納するような場合、最上段の棚板片１６の一枚を両横木１４，１５から取り外し、最下段の棚板１３上にロングブーツ２０を収納可能なスペースを確保する。
【００１２】
各棚板片１６を取り外すには、図２の矢印Ａに示すように、第２横木１５を支点にして棚板片１６を上方へ回動させ、第１横溝１７を第１横木１４から外す。そして、次ぎに矢印Ｂに示すように棚板片１６を前方へ引き出す。
【００１３】
棚板片１６を取り付ける場合はこの逆に、まず、棚板片１６を後下がりに傾斜させて矢印Ｂと逆に奥側へ差し入れ、第２横溝１８を第２横木１５に係合させ、ついで、矢印Ａと逆に下方へ回動して第１横溝１７を第１横木１４に係合させる。これにより棚板片１６は後端部と下面中間部がそれぞれ第２横木１５と第横木１４で支持されるので、側板１１間に水平に架設される。
【００１４】
ロングブーツ２０を収納するために中間の棚板片１６と最上段の棚板片１６を１枚取り外したとき、図３に示すように、棚板片１６を支持する第１横木１４と第２横木１５は側板１１間に架設されたまま残るものの、第１横木１４は棚板片１６の奥側に配置されているので、ロングブーツ２０を収納するとき邪魔にならない。
【実施例２】
【００１５】
次ぎに、本発明の第２実施例を図４及び図５に示す。第１実施例に係る棚板支持構造１０では、第２横木１５を両側板１１間に架設するとともに、棚板片１６の後端部に第２横溝１８を形成したが、本実施例に係る棚板支持構造３０では、第２横木１５に代えて、棚板片３１の後端部が嵌合する嵌合溝１２ａを背板１２に切削加工し、第１横木１５で棚板片３１の下面中間部を支持し、嵌合溝１２ａで棚板片３１の後端部を支持し、もって棚板３１を側板１１間に水平に架設している。その他の構成は第１実施例と同じであるので、同一の構成要素には同一の符号を付して説明を省略する。
【００１６】
本実施例に係る棚板支持構造３０では、棚板片３１に横溝を加工する必要がないので、コストを低減できる。なお、本実施例では背板１２に嵌合溝１２ａを切削加工したが、図６に示す第３実施例のように、背板１２に上下対を成す桟３２を固定し、上下の桟３２で嵌合溝１２ａを区画形成すれば、嵌合溝１２ａの切削加工を省略できる。
【図面の簡単な説明】
【００１７】
【図１】第１実施例に係る家具の棚板支持構造を示す斜視図である。
【図２】同棚板支持構造の棚板片と第１、第２横木の着脱を示す説明図である。
【図３】同棚板支持構造の主要部を示す端面図である。
【図４】第２実施例に係る家具の棚板支持構造を示す斜視図である。
【図５】同棚板支持構造の主要部を示す端面図である。
【図６】第３実施例に係る家具の棚板支持構造の主要部を示す端面図である。
【符号の説明】
【００１８】
１０，３０…家具の棚板支持構造、１１…側板、１２…背板、１２ａ…嵌合溝、１３…棚板、１４…第１横木、１５…第２横木、１６…棚板片、１７…第１横溝、１８…第２横溝。
【図１】
0004427505.tif 000002
【図２】
0004427505.tif 000003
【図３】
0004427505.tif 000004
【図４】
0004427505.tif 000005
【図５】
0004427505.tif 000006
【図６】
0004427505.tif 000007